(57)【要約】【課題】  本発明は、病室内に設置され、患者に医療看護行為を行う為の病室用医療用コンソールユニットに関するもので、トータルコストを抑制する使い勝手のよい医療用コンソールユニットを提供することを課題とする。【解決手段】  主に病室、居室の壁体に設置される医療用コンソールユニットにおいて、医療用コンソールユニットを、壁体内部に設置される本体と、壁体を形成する壁面の一方面側と、一方面側と対向する壁体の他方面側それぞれに、少なくとも前記本体の一部が臨むように設けられた正面開口部と後面開口部をそれぞれに覆う、正面パネル体と後面パネル体とで構成し、壁面の正面開口部と後面開口部間を隔てる隔壁を設ける。【選択図】 図７
2017140146.tif 000002
【特許請求の範囲】
【請求項１】
医療用ガスのアウトレットや医療用壁掛式吸引器の取り付けフック、ナースコール子機器具、コンセント、スイッチ等が組み付けられ、主に病室、居室の壁体に設置される医療用コンソールユニットにおいて、医療用コンソールユニットは、壁体内部に設置される本体と、壁体を形成する壁面の一方面側と、一方面側と対向する壁体の他方面側それぞれに少なくとも前記本体の一部が臨むように設けられた正面開口部と後面開口部を、それぞれに覆う正面パネル体と後面パネル体を備えていることを特徴とする医療用コンソールユニット。
【請求項２】
本体には、壁面の正面開口部と後面開口部間を隔てる隔壁を備えていることを特徴とする請求項１に記載の医療用コンソールユニット。
【請求項３】
本体は、壁体の開口部における上面と、該上面と連通する壁体内間とを隔てる上部隔壁と、壁体の開口部における下面と、該下面と連通する壁体内間とを隔てる下部隔壁と、壁体の開口部における左右の各側面と該側面と連通する壁体内間とを隔てる側面隔壁とを備え、上部隔壁と下部隔壁には壁体を形成する化粧板端部を収納する凹部を備えていることを特徴とする請求項１、あるいは、請求項２に記載の医療用コンソールユニット。
【発明の詳細な説明】
【技術分野】
【０００１】
本発明は、主に病室や療養施設の居室内に設置され、患者に医療看護行為を行う為のコンセント、スイッチ、ナースコールなどの電気設備や、医療用ガスのアウトレット（酸素、空気、吸引等のガスの供給口と吸引口等）などが組み付けられる医療用コンソールユニットに関するものである。
【背景技術】
【０００２】
以前より、ベッドの頭部側壁面に設置される医療用コンソールユニットが知られている。
このような医療用コンソールユニットは、通常、設置される部屋の壁面に取り付けられる。また、該部屋に隣接する他の部屋の壁面にも、同じように医療用コンソールユニットが設置されている。
このように、医療用コンソールユニットは、各部屋それぞれに個別で設置され、このような医療用コンソールユニットが設置される壁体も、各部屋でそれぞれ設置されることが一般的であるが、医療用コンソールユニット費用、医療用コンソールユニット設置工事、壁体設置工事などを含めたトータルコストが高くなるといった問題がある。
【先行技術文献】
【特許文献】
【０００３】
【特許文献１】特開２０１０−０４２０７２公報
【発明の概要】
【発明が解決しようとする課題】
【０００４】
本発明は、従来の問題点に鑑みて、トータルコストを抑制する使い勝手のよい医療用コンソールユニットを提供することを課題とする。
【課題を解決するための手段】
【０００５】
そこで、上記課題を解決する為、本発明が第１の手段として構成したところは、医療用ガスのアウトレットや医療用壁掛式吸引器の取り付けフック、ナースコール子機器具、コンセント、スイッチ等が組み付けられ、主に病室、居室の壁体に設置される医療用コンソールユニットにおいて、医療用コンソールユニットは、壁体内部に設置される本体と、壁体を形成する壁面の一方面側と、一方面側と対向する壁体の他方面側それぞれに少なくとも前記本体の一部が臨むように設けられた正面開口部と後面開口部を、それぞれに覆う正面パネル体と後面パネル体を備えているものである。
【０００６】
次に、上記課題を解決する為、本発明が第２の手段として構成したところは、上記第１手段に加え、本体には、壁面の正面開口部と後面開口部間を隔てる隔壁を備えているものである。
【０００７】
次に、上記課題を解決する為、本発明が第３の手段として構成したところは、上記第１手段、あるいは、上記第２手段に加え、本体は、壁体の開口部における上面と、該上面と連通する壁体内間とを隔てる上部隔壁と、壁体の開口部における下面と、該下面と連通する壁体内間とを隔てる下部隔壁と、壁体の開口部における左右の各側面と該側面と連通する壁体内間とを隔てる側面隔壁とを備え、上部隔壁と下部隔壁には壁体を形成する化粧板端部を収納する凹部を備えているものである。
【発明の効果】
【０００８】
請求項１に記載の発明によると、医療用コンソールユニットの壁体内に設置される本体を、壁体の一方面側と他方面側とで共用することができるため、一方側の部屋と、壁体で隔てられ該部屋に隣接する他方側の部屋間の該壁体に医療用コンソールユニットを設置すると、一方側の部屋用と、隣接する他方側の部屋用の医療用コンソールユニットを一体のみにすることができる。そのため医療用コンソールユニット費用、設置工事費用を抑制することができる。
【０００９】
請求項２に記載の発明によると、医療用コンソールユニットの壁体内に設置される本体は、壁面の正面開口部と後面開口部間を隔てる隔壁を備えているので、一方側の部屋と、壁体で隔てられ該部屋に隣接する他方側の部屋間に、開口部を通じて空気が流れることや音が透過することを抑制できるだけでなく、隔壁によって壁体の貫通孔が塞がれるため0壁体の防火性能の低下を抑制することができる。
そのため、一方側の部屋と、壁体で隔てられ該部屋に隣接する他方側の部屋間の壁体も共有化することができ、壁体の厚みを薄くすることができるので、壁体の設置工事費用を抑制することができるうえ、本体を壁体内部に設置しているため、医療用コンソールユニットが部屋内に張り出す度合いを小さくできるので、部屋内の有効面積に及ぼす影響を抑えることができ、医療用コンソールユニットが部屋内に張り出す度合いを小さい分、部屋を大きくする必要がないので、トータルコストの抑制を図ることが可能である。
【００１０】
請求項３に記載の発明によると、壁体の表面を形成する化粧板の開口部における上面、下面、左右の側面のそれぞれの端部を本体に設けられた凹部に収納することができるため、本体と前記それぞれの端部間に生じる隙間を抑えることができ、一方側の部屋と、壁体で隔てられ該部屋に隣接する他方側の部屋間に、本体と前記それぞれの端部間を通じて空気が流れることや音が透過することを抑制することができる。
【図面の簡単な説明】
【００１１】
【図１】従来型医療用コンソールユニットが設置される病室の平面図
【図２】本件医療用コンソールユニットが設置される病室の平面図
【図３】壁体に設置された状態の医療用コンソールユニットの正面図
【図４】壁体に設置された状態の医療用コンソールユニットの背面図
【図５】壁体に設置された状態の医療用コンソールユニットの平面図
【図６】壁体に設置された状態の医療用コンソールユニットの右側面図
【図７】図３のＡ−Ａ線拡大断面図
【図８】図３のＢ−Ｂ線拡大断面図
【図９】本体の正面図
【図１０】図９のＡ−Ａ線拡大断面図
【図１１】本体の左側面隔壁部の搖部拡大平面図
【図１２】他の実施例を示す鉛直断面図
【図１３】他の実施例を示す水平断面図
【図１４】他の実施例を示す鉛直断面図
【発明を実施するための最良の形態】
【００１２】
医療用ガスのアウトレットや医療用壁掛式吸引器の取り付けフック、ナースコール子機器具、コンセント、スイッチ等が組み付けられ、主に病室、居室の壁体に設置される医療用コンソールユニットにおいて、医療用コンソールユニットは、壁体内部に設置される本体と、壁体を形成する壁面の一方面側と、一方面側と対向する壁体の他方面側それぞれに、少なくとも前記本体の一部が臨むように設けられた正面開口部と後面開口部をそれぞれに覆う、正面パネル体と後面パネル体を備えたものであって、本体には、壁面の正面開口部と後面開口部間を隔てる隔壁を備えるとともに、本体は、壁体の開口部における上面と、該上面と連通する壁体内間とを隔てる上部隔壁と、壁体の開口部における下面と、該下面と連通する壁体内間とを隔てる下部隔壁と、壁体の開口部における左右の各側面と該側面と連通する壁体内間とを隔てる側面隔壁とを備え、上部隔壁と下部隔壁には壁体を形成する化粧板端部を収納する凹部を備える医療用コンソールユニット。
【実施例】
【００１３】
以下、第１実施例を添付図面に基づいて詳述する。
図１は、以前よりある一般的な病室の配置を示した平面図であり、符号８１は、病室などの部屋を示し、符号８２も同様に病室などの部屋を示し、病室８１と病室８２は、それぞれの部屋の壁体７１、７２によって区分けされている。
そして、符号６１、６２は、ベッド９１、９２のそれぞれの壁体７１、７２に設置された一般的な医療用コンソールユニットを示している。
【００１４】
図２は、本件医療用コンソールユニットを設置した場合の病室の配置を示した平面図であり、符号８１は、病室などの部屋を示し、符号８２も同様に病室などの部屋を示し、病室８１と病室８２は、壁体７０によって区分けされている。
そして、符号１００は、ベッド９１、ベッド９２で共有する壁体７０に設置された本件医療用コンソールユニットを示している。
【００１５】
壁体７０は、床面から天井面に立直する複数の縦骨材７０１と縦骨材７０１間を水平方向に連結される複数の横骨材７０２と、縦骨材７０１と横骨材７０２の前面側に取り付けられる正面側の化粧板７０３と、縦骨材７０１と横骨材７０２の後面側に取り付けられる後面側の化粧板７０４とで形成されている。
医療用コンソールユニット１００は、本体１と、本体１の前面側、後面側それぞれに着脱自在に設置される正面蓋体２、後面蓋体３より構成されている。
尚、図２における部屋８１側を正面、部屋８２側を後面とし、前面、後面方向を前後方向とし、左右方向は、前面側から後面側を見た状態での左右方向と便宜的に設定する。
【００１６】
本体１は、前面側と後面側が開口する筐体状であって、筐体状の上面側を形成する上部隔壁１０と、筐体状の下面側を形成する下部隔壁２０、筐体状の左右の側面を形成する左側面隔壁３０、右側面隔壁４０で構成されている。
そして、上部隔壁１０と下部隔壁２０間と、左側面隔壁３０、右側面隔壁４０間で形成される本体１の開口部５００を、本体の前後方向の中心付近で開口部５００の大部分を閉塞するように隔壁５０が設けられている。
【００１７】
上部隔壁１０は、側面視において、前面側開口部から後側に延びる前上基材１０１と、後面側開口部から前側に延びる後上基材１０３と、前上基材１０１と後上基材１０３間で上方に突出する上凸部１０２と、前上基材１０１の前端から上方に突出する前部上化粧縁１０４と、後上基材１０３の後端から上方に突出する後部上化粧縁１０５で形成されている。
そして、前部上化粧縁１０４、前上基材１０１と、上凸部１０２とで、上部前凹部１０ａが形成され、後部上化粧縁１０５、前上基材１０１と、上凸部１０２とで、上部後凹部１０ｂが形成される。
また、上凸部１０２には上下方向に貫通する挿通孔１０２ａが複数設けられ、該挿通孔１０２ａより、壁体内部を通る電線やガス配管などを、本体の内部（開口部５００）に引き込むことができる。
【００１８】
下部隔壁２０は、側面視において、前面側開口部から後側に延びる前下基材２０１と、後面側開口部から前側に延びる後下基材２０３と、前下基材２０１と後下基材２０３間で下方に突出する下凸部２０２と、前下基材２０１の前端から下方に突出する前部下化粧縁２０４と、後下基材２０３の後端から下方に突出する後部下化粧縁２０５で形成されている。
そして、前部下化粧縁２０４、前下基材２０１と、下凸部２０２とで、下部前凹部２０ａが形成され、後部下化粧縁２０５、後下基材２０３と、下凸部２０２とで、下部後凹部２０ｂが形成される。
尚、下部隔壁２０は、上部隔壁１０と上下方向で対称形とされているが、ガス管や電気配線などの挿通孔は必要としないので備えていない。
ただし、本件医療用コンソールを上下に複数個設置する場合など、必要に応じて挿通孔が設けられる。
【００１９】
左側面隔壁３０は、平面視において、前面側開口部から後面側開口部に延びる側面基材３０１と、側面基材３０１の前端から側方左側に突出する前部左化粧縁３０２と、側面基材３０１の後端から側方左側に突出する後部左化粧縁３０３からなり、左側面凹部３０ａを形成している。
【００２０】
右側面隔壁４０は、平面視において、前面側開口部から後面側開口部に延びる側面基材４０１と、側面基材４０１の前端から側方右側に突出する前部右化粧縁４０２と、側面基材４０１の後端から側方右側に突出する後部右化粧縁４０３からなり、右側面凹部４０ａを形成している。
【００２１】
隔壁５０は、前記開口部５００を閉塞する大きさの板状の閉塞部５０１と、閉塞部５０１の上端と下端をそれぞれ後側に折り曲げるように設けられた設置部５０１ａ、５０１ｂで形成され、設置部５０１ａ、５０１ｂは、それぞれ上部隔壁１０と下部隔壁２０の設置面とされる。
【００２２】
閉塞部５０１には、後側に突出するように補強体５０２が設けられ、補強体５０２によって隔壁５０の剛性が高められている。
隔壁補強体５０２は、閉塞部５０１の幅方向と略同じ長さで形成され、隔壁補強体５０２は、閉塞部５０１と所定の間隔をあけた後側の位置に配置される取付ベース部５０２ａを有している。
【００２３】
閉塞部５０１、取付ベース部５０２ａには適宜ネジ孔等が設けられ、電気器具の取り付けやガスのアウトレットなどが取り付けられるようになっている。
このように、隔壁５０は、開口部１ａを閉塞するだけでなく、器具の取り付けなどもできるので、医療用コンソールユニットのコストも抑えられ、トータルコストの抑制に寄与する。
【００２４】
尚、図１２に示すように、隔壁５０の閉塞部５０１、取付ベース部５０２ａ間にせっこうボードやグラスウールなどの断熱・防音材８００を挟みこめば、遮音性や断熱性を向上させることができる。
【００２５】
このように構成された本体１は、正面側から見て、右側がアウトレット取付部１ａ、左側が電気設備取付部１ｃ、アウトレット取付部１ａと電気設備取付部１ｃ間が、電気器具取付部１ｂとして設定される。
同様に本体１を後面側から見ると、左側がアウトレット取付部１ａ、右側が電気設備取付部１ｃ、アウトレット取付部１ａと電気設備取付部１ｃ間が、電気器具取付部１ｂとなる。
【００２６】
これらのアウトレット取付部１ａ、電気器具取付部１ｂ、電気設備取付部１ｃの位置・数量は、医療用コンソールユニットが設置される病室の仕様に応じて適宜設定されるものであるから位置・数量が変わることがあるのは当然のことである。
また、正面側と後面側のアウトレット取付部１ａ、電気器具取付部に１ｂ、電気設備取付部１ｃの位置が違う場合も当然ながらありえるものである。
【００２７】
アウトレット取付部１ａの閉塞部５０１には、前述のとおり、アウトレット取付用のネジ孔が複数個設けられ、閉塞部５０１にアウトレットが取り付けられるよう施されている。
【００２８】
電気器具取付部に１ｂの閉塞部５０１には、後述する器具取付座２０ｂ取付用のネジ孔が複数個設けられ、閉塞部５０１に器具取付座２０ｂが取り付けられるよう施されている。
電気設備取付部１ｃの閉塞部５０１には、後述する設備取付座２０ｃ取付用のネジ孔が複数個設けられ、閉塞部５０１に設備取付座２０ｃが取り付けられるよう施されている。
【００２９】
アウトレット取付部１ａの取付ベース部５０２ａには、閉塞部５０１と同様にアウトレット取付用のネジ孔、器具取付座２０ｂ取付用のネジ孔、設備取付座２０ｃ取付用のネジ孔が複数個設けられ、アウトレット、器具取付座３０ｂ、設備取付座３０ｃがそれぞれに取り付けられるように施されている。
【００３０】
本件実施例の場合、器具取付座２０ｂ、３０ｂと設備取付座２０ｃ、３０ｃは同型であるので、器具取付座２０ｂについてのみ詳述する。
器具取付座２０ｂは、側面視において正面側が開口する断面コ字状を成し、閉塞部５０１との取付面である板状の基部２０１ｂと、基部２０１ｂの上端と下端から前方に延出する嵩上げ部２０２ｂ、２０２ｂ、嵩上げ部２０２ｂ、２０２ｂの前端で、下方側と上方側にそれぞれ向かい合うように延出する器具設備取付部２０３ｂ、２０３ｂで形成されている。
当然のごとく、器具取付座２０ｂや設備取付座２０ｃは、取り付ける器具、設備に合わせて適宜設計されるものであるから、必ずしもこの形態である必要はない。
【００３１】
正面蓋体２と後面蓋体３は基本的に同形態とされるため、正面蓋体２のみを詳述する。
正面蓋体２は、ガス取出用化粧蓋体２ａ、電気器具用化粧蓋体２ｂ、電気設備用化粧蓋体２ｃの複数の蓋体からなり、該複数の蓋体をそれぞれが横方向に連続して並ぶように配設されることによって形成され、各蓋体の高さ方向は、本体１の高さより高く設定され、ガス取出用化粧蓋体２ａ、電気器具用化粧蓋体２ｂ、電気設備用化粧蓋体２ｃを横方向に順に並べたときの左右方向の幅合計、すなわち正面蓋体２の幅は、本体１の幅より広く設定されている。
尚、実施例における正面蓋体２は、基本形態を示しているものであって、ガス取出用化粧蓋２ａ、電気器具用化粧蓋２ｂ、電気設備用化粧蓋２ｃより構成されているが、電気設備用化粧蓋２ｃを増やしたり、電気器具用化粧蓋２ｂと電気設備用化粧蓋２ｃを一体化し統合したりと適宜必要に応じて数量、仕様を変更しても構わない。
【００３２】
ガス取出用化粧蓋体２ａは横長矩形の薄板箱状に形成され、医療用コンソールを設置時に表面に露呈する正面板２１ａの裏面にキャッチ支持部材２２ａが四隅に設けられ、該キャッチ支持部材２２ａにキャッチ４００が取り付けられ、該キャッチ４００を使用して、本体１の前記アウトレット取付部１ａの正面側を閉塞するように、着脱自在に本体１に取り付けられる。
また、正面板２１ａには、本体１に取り付けられたアウトレットが臨むように開口部が設けられている。
尚、本件実施例の場合、電気器具用化粧蓋２ｂ、電気設備用化粧蓋２ｃもガス取出用化粧蓋体２ａと同様な方法で構成され、電気器具用化粧蓋２ｂ、電気設備用化粧蓋２ｃの正面板にはそれぞれ電気器具、電気設備に対応した開口部が設けられ、電気器具用化粧蓋２ｂ、電気設備用化粧蓋２ｃは、本体１の電気器具取付部１ｂ、電気設備取付部１ｃの前面側をそれぞれ閉塞するように着脱自在に本体１に取り付けられる。
【００３３】
本体１には、上記のキャッチ４００に対応して、キャッチ受け４０１がキャッチ受け座４０２を介して設置されている。
【００３４】
このように構成された本件医療用コンソールユニット１００の設置は、壁体７０を構築する工程で成されるので、その設置方法について説明する。
まず、壁体７０を形成するのに一般的に用いられる壁構築用骨材（スタッド材）の縦骨材７０１、７０１を、本体１の幅より広めの間隔となるように床面に立てて配置する。
そして、該縦骨材７０１、７０１間に、縦骨材と同様に一般的に用いられる壁構築用骨材（スタッド材）の横骨材７０２を水平方向に取り付ける。
【００３５】
そして、該横骨材７０２の上面に、本体１を、本体１の下面となる下凸部２０２が載るように横骨材７０２に載置する。
本体１の前後位置の調整を行い、横骨材７０２と本体１の下部隔壁２０をネジ止めする。
【００３６】
次に、横骨材７０２を、横骨材７０２の下面が上部隔壁１０の上面となる上凸部１０２に載るように本体１に載置する。そして、横骨材７０２の前後位置の調整を行い、横骨材７０２を縦骨材７０１、７０１に固定する。
【００３７】
本件実施例における下凸部２０２の前後長さと、横骨材７０２の前後長さは同じとされているため、本体１の前後方向の位置あわせは、下凸部２０２の前面側と横骨材７０２ｎ前面側を目視にて揃えるだけでいいので、都度寸法を測る必要がなく簡単に本体の位置決め、取り付けを行うことができる。
このように、下凸部２０２の前後長さは、壁体の厚みによって適宜設定される横骨材７０２の前後長さと合わせていれば本体１の設置時間が短くできるので、トータルコストの抑制に寄与することが可能である。
【００３８】
当然ながら、縦骨材７０１、７０１と横骨材７０２、７０２は、医療用コンソールユニットの取り付け位置があらかじめ設定された位置となるように、配置位置が採寸されて所定の位置に設置される。
【００３９】
次に壁体７０の医療用コンソールユニット設置部以外の部分を、建築等の仕様に応じて縦骨材７０１、７０１と横骨材７０２、７０２を適宜壁体７０構築部に配置する。
【００４０】
このように壁体７０の骨材を配置したあと、本体１の上側に位置する横骨材７０２に、上部隔壁１０の挿通孔１０２ａに対応した挿通孔が開けられ天井から本体１内にガス配管Ｇや電気配線Ｄなどが引き込まれる。
ガス配管Ｇは、図７に示すように天井側から下方に向かって配設され、本体１寄りの上方で、正面側と後面側に分岐される。
本体１の上面には、正面側と後面側のそれぞれに、ガス配管Ｇ、電気配管Ｄの引き込み孔が開けられているため、前述のようにガス配管Ｇを本体１の寄りガス配管Ｇを分岐する施工できるので、ガス配管Ｇの使用量が減り、トータルコストの抑制に寄与することができる。
【００４１】
そして、壁体７０の表面部を形成するせっこうボードなどの化粧板７０３、７０４を、骨材の正面側と後面側に貼りつけていく。化粧板７０３、７０４は、骨材に対してネジにて固定されるのが一般的である。
【００４２】
次に、本体１の周囲の化粧板の取り付け方法を詳述する。
前面側の化粧板７０３は、本体１の上部前凹部１０ａ、下部前凹部２０ａ、左側面凹部３０ａ、右側面凹部４０ａの各凹部に化粧板７０３の端部が差し込まれ、本体１の開口部５００を閉塞しないように、適宜切断され骨材に固定される。
同様に、後面側の化粧板７０４も、本体１の上部後凹部１０ｂ、下部後凹部２０ｂ、左側面凹部３０ａ、右側面凹部４０ａの各凹部に化粧板７０４の端部が差し込まれ、本体１の開口部５００を閉塞しないように、適宜切断し骨材に固定される。
【００４３】
このように、化粧板７０３、７０４が本体１の前記各凹部に差し込まれて取り付けられることにより、化粧板の端面と、本体１との設置面に生じやすい隙間が、本体１の前部上化粧縁１０４、後部上化粧縁１０５、前部下化粧縁２０４、後部下化粧縁２０５、前部左化粧縁３０２、後部左化粧縁３０３、前部右化粧縁４０２、後部右化粧縁４０３によって隠されるので、本体１と化粧板との設置部で、前後方向に直線的に貫通する隙間が開かないため、断熱性、遮音性、防耐火性に優れる。
【００４４】
前記のように、化粧板７０３、７０４を、本体１の各凹部に差し込む方法ではなくとも、図１３、１４に示すように、本体１を、壁体７０を骨材の前後長さと同じ前後方向の厚みに形成したものとし、化粧板を本体１の前後面を閉塞するように取り付けてから、化粧板を切り抜き、本体１を露呈させてもよい。
尚、この場合は、化粧板端面が、本体１と接しないため、本体１の正面と後面には化粧縁１０ｃ、２０ｃ、３０ｃ、４０ｃを形成し、化粧板の裏面を、前記化粧縁が接触するようしたほうが前後方向に直線的に貫通する隙間が開かないため、断熱性、遮音性、防耐火性に優れる。
また、本体１は、化粧板７０３、７０４の厚み分壁内に奥まって入っているため、面蓋体２、後面蓋体３のキャッチ支持部材２２ａ、３３ａは、本体１が奥まっている相当分高さを高くし、キャッチが届くように形成される。
【００４５】
このように取り付けられた化粧板の表面に壁クロスなどが貼り付けられ、壁体７０は構築される。
【００４６】
次に、本体１に、アウトレット６、器具取付座２０ｂ、３０ｂと設備取付座２０ｃ、３０ｃがネジにて取り付けられ、さらに、器具取付座２０ｂ、３０ｂと設備取付座２０ｃ、３０ｃにナースコールなどの電気器具７、コンセントやスイッチなどの電気設備８が取り付けられる。
【００４７】
そして、本体１の前面側と後面側それぞれに、正面蓋体２、後面蓋体３が取り付けられる。医療用コンソールユニットの取り付けが完了する。
尚、正面蓋体２、後面蓋体３はそれぞれ、化粧板の開口、すなわち本体１が露呈している開口より大きくなる大きさに設定されているので、該開口が露呈することがなく医療用コンソールの設置部の見栄えがよい。
【符号の説明】
【００４８】
１００    医療用コンソールユニット
１        本体
１０      上部隔壁
２０      下部隔壁
３０      左側面隔壁
４０      右側面隔壁
５０      隔壁
５００    開口部
１０ａ    上部前凹部
１０ｂ    上部後凹部
２０ａ    下部前凹部
２０ｂ    下部後凹部
３０ａ    左側面凹部
４０ａ    右側面凹部
２        正面扉体
３        後面扉体
６        アウトレット
７        電気器具
７０      壁体
７０３    化粧板
７０４    化粧板
８        電気設備
８１      病室
８２      病室
【図１】
2017140146.tif 000003
【図２】
2017140146.tif 000004
【図３】
2017140146.tif 000005
【図４】
2017140146.tif 000006
【図５】
2017140146.tif 000007
【図６】
2017140146.tif 000008
【図７】
2017140146.tif 000009
【図８】
2017140146.tif 000010
【図９】
2017140146.tif 000011
【図１０】
2017140146.tif 000012
【図１１】
2017140146.tif 000013
【図１２】
2017140146.tif 000014
【図１３】
2017140146.tif 000015
【図１４】
2017140146.tif 000016